(57)【要約】【課題】本発明は、歯ブラシに関する。【解決手段】本発明は、微細端部を有する第１の歯ブラシの毛と平端部を有する第２の歯ブラシの毛とからなる歯ブラシの毛一対を毛束として形成して歯間や歯の表面についた食べかすをより効率的に除去することができるだけでなく、歯列矯正装置をはめた歯の場合でも、歯と歯列矯正装置との間に残った食べかすをさらに効率的に除去することができる歯ブラシを提供する。【選択図】図３ａ
2021512658.tif 000002
【特許請求の範囲】
【請求項１】
ヘッド及び前記ヘッドの一側に連結されるハンドルからなる歯ブラシにおいて、
歯の間に対応する微細端部を有する第１の歯ブラシの毛及び前記第１の歯ブラシの毛の内側に歯の表面に対応する平端部を有する第２の歯ブラシの毛の束からなり、前記ヘッドの一面に複数列で配列される歯ブラシの毛を含むことを特徴とする歯ブラシ。
【請求項２】
前記歯ブラシの毛は、
前記第１の歯ブラシの毛及び前記第２の歯ブラシの毛の束からなり、前記ヘッドの一面の外部に植毛される外部歯ブラシの毛と、
前記第１の歯ブラシの毛及び前記第２の歯ブラシの毛の束からなり、前記外部歯ブラシの毛の内部に配列されるように前記ヘッドに植毛される内部歯ブラシの毛とに分離されて構成されることを特徴とする請求項１に記載の歯ブラシ。
【請求項３】
前記外部歯ブラシの毛及び前記内部歯ブラシの毛は、「Ｖ」字状の断面で配列されるように互いに異なる長さで形成されることを特徴とする請求項２に記載の歯ブラシ。
【請求項４】
複数の単位歯ブラシの毛の端部が内側に下方に傾斜した束状になり、前記ヘッドの一面の外部に複数列植毛される奥歯歯ブラシの毛をさらに含んでなることを特徴とする請求項１に記載の歯ブラシ。
【請求項５】
前記奥歯歯ブラシの毛は、普通毛または微細毛であり、前記歯ブラシの毛は微細毛であることを特徴とする請求項４に記載の歯ブラシ。
【請求項６】
前記奥歯歯ブラシの毛は、前記ヘッドの一面のコーナー部に束状に複数列が形成されることを特徴とする請求項５に記載の歯ブラシ。
【請求項７】
前記第１の歯ブラシの毛は、外側端部方向に外径が細くなるテーパー状に形成されることを特徴とする請求項１または２に記載の歯ブラシ。
【請求項８】
前記平端部を含む前記第２の歯ブラシの毛の長さは、前記第１の歯ブラシの毛の長さよりも短く形成されることを特徴とする請求項１または２に記載の歯ブラシ。
【請求項９】
前記第１の歯ブラシの毛及び前記第２の歯ブラシの毛の外周縁には、エンボスが形成されることを特徴とする請求項１または２に記載の歯ブラシ。
【請求項１０】
前記奥歯歯ブラシの毛の外周縁には、エンボスが形成されることを特徴とする請求項４に記載の歯ブラシ。
【請求項１１】
前記奥歯歯ブラシの毛の各前記単位歯ブラシの毛は、その上端が平端部を有することを特徴とする請求項４に記載の歯ブラシ。
【請求項１２】
前記第１の歯ブラシの毛及び前記第２の歯ブラシの毛の一対からなる前記歯ブラシの毛の束及び前記奥歯歯ブラシの毛の束を前記ヘッドの一面の中央部に長さ方向に２列のみで形成することを特徴とする請求項４または５に記載の歯ブラシ。
【発明の詳細な説明】
【技術分野】
【０００１】
本発明は、歯ブラシに関し、詳しくは、微細端部を有する第１の歯ブラシの毛と平端部を有する第２の歯ブラシの毛とからなる歯ブラシの毛一対を毛束として形成して歯間や歯の表面についた食べかすをより効率的に除去することができるだけでなく、歯列矯正装置をはめた歯の場合でも、歯と歯列矯正装置との間に残った食べかすをさらに効率的に除去することができる歯ブラシに関する。
【背景技術】
【０００２】
一般に、歯ブラシは、歯を磨くために使用するものであり、食物の摂取により歯の表面についたり、歯の間に挟まったかすを除去して歯を清潔に保つことができる。
【０００３】
一般的な歯ブラシは、束状の歯ブラシの毛が列を形成して植毛されたヘッド（ｈｅａｄ）とハンドル（ｈａｎｄｌｅ）とを含み、複数の歯ブラシの毛の先端部は平らで真っ直ぐに形成される。
【０００４】
しかしながら、上述したように、平らで真っ直ぐな歯ブラシの毛を持つ一般的な歯ブラシでは、歯の間に挟まった食べかすのみでなく、歯の表面についた食べかすも効率的に除去し難いという問題点がある。
【０００５】
一方、近年では歯列矯正治療（ｏｒｔｈｏｄｏｎｔｉｃ  ｔｒｅａｔｍｅｎｔ）を通じて歯の配列や顔立ちの異常診断と予防及び治療する施術が広く利用されている。
【０００６】
ここで、歯列矯正治療は、単に曲がった歯を正しく配列させることを含み、成長過程で発生し得る多様な骨格不調和を正しくして正常な機能を発揮できるようにし、健康な口腔組織及び審美性を改善することを意味する。
【０００７】
そして、歯列矯正治療の施術方法は、矯正診断及び矯正治療過程に大きく分かれ、矯正診断は初診、Ｘ線撮影、歯模型、顔写真、口腔内写真などの資料を用いて患者が有している問題点を分析し、一人一人に適切な治療計画を確立する過程を含み、矯正治療は、固定式歯列矯正装置、仮綴じ式歯列矯正装置、口外装置などを用いて歯の移動及び顎骨の成長を調節する過程を含む。
【０００８】
このような歯列矯正治療の施術後、矯正にかかる時間は少なくとも１８〜３０ヶ月必要であり、複雑な歯列矯正装置により虫歯や歯周病などが発生する恐れが大きいため、歯磨きには細心の注意を払うことが良い。
【０００９】
しかしながら、上述したように、平らで真っ直ぐなの歯ブラシの毛を持つ一般的な歯ブラシの毛では、歯列矯正装置の損傷を防止しながら歯磨きに細心の注意を払うことは難しいだけでなく、歯列矯正装置と歯の間に挟まった食べかすを効率的に除去し難いという問題点があった。
【００１０】
さらに、従来の歯ブラシは、奥歯専用歯ブラシの毛の形成構造やインプラント施術者のための歯ブラシの毛を持つ歯ブラシの構造は全く提案されていない。
【発明の概要】
【発明が解決しようとする課題】
【００１１】
本発明は、上述した問題を解決するためのものであり、本発明の目的は、微細端部を有する第１の歯ブラシの毛と平端部を有する第２の歯ブラシの毛とからなる歯ブラシの毛一対を束として形成して歯間のみでなく、歯の表面についた食べかすをより効率的に除去して細密に歯磨きすることができる歯ブラシを提供することである。
【００１２】
本発明の他の目的は、歯ブラシの毛を外部歯ブラシの毛と内部歯ブラシの毛とに分離形成して歯列矯正装置と歯の間を細かく磨くことができる歯ブラシを提供することである。
【００１３】
本発明の又他の目的は、歯ブラシのヘッドの一面のコーナー部に別の奥歯歯ブラシの毛を形成することにより、奥歯間に挟まった食べかすを取り除くことにより効率的な歯ブラシを提供することである。
【００１４】
本発明の又他の目的は、複数の歯ブラシの毛にエンボスを形成して歯の表面についた食べかすをさらに除去しやすくするとともに、弾性による復元力を提供することができる歯ブラシを提供することである。
【００１５】
本発明の又他の目的は、歯ブラシの毛の束をヘッドの一面の中央部に長さ方向に２列のみで形成してインプラント施術者のための歯ブラシとして有用に活用できる歯ブラシを提供することである。
【課題を解決するための手段】
【００１６】
このような目的を達成するために、本発明に係る歯ブラシは、ヘッド及び前記ヘッドの一側に連結されるハンドルからなる歯ブラシにおいて、歯の間に対応する微細端部を有する第１の歯ブラシの毛及び前記第１の歯ブラシの毛の内側に歯表面に対応する平端部を有する第２の歯ブラシの毛の束からなって、前記ヘッドの一面に複数列で配列される歯ブラシの毛を含むことを特徴とする。
【００１７】
ここで、前記歯ブラシの毛は、前記第１の歯ブラシの毛と前記第２の歯ブラシの毛の束からなり、前記ヘッドの一面の外部に植毛される外部歯ブラシの毛と、前記第１の歯ブラシの毛と前記第２の歯ブラシの毛の束からなり、前記外部歯ブラシの毛の内部に配列されるようにヘッドに植毛される内部歯ブラシの毛とに分離されて構成されることが望ましい。
【００１８】
また、前記外部歯ブラシの毛と前記内部歯ブラシの毛は「Ｖ」字状の断面で配列されるように互いに異なる長さで形成されることが望ましい。
【００１９】
また、複数の単位歯ブラシの毛の端部が内側下方に傾斜した束状になり、前記ヘッドの一面の外部に複数列植毛される奥歯歯ブラシの毛をさらに含んでなることが望ましい。
【００２０】
また、前記奥歯歯ブラシの毛は普通毛または微細毛であり、前記歯ブラシの毛は例えば微細毛である。
【００２１】
また、前記奥歯歯ブラシの毛は、前記ヘッドの一面のコーナー部に束状に複数列形成することが望ましい。
【００２２】
また、前記第１の歯ブラシの毛は、外側端部方向に外径が細くなるテーパー状に形成することが望ましい。
【００２３】
また、前記平端部を含む第２の歯ブラシの毛の長さは、前記第１の歯ブラシの毛の長さよりも短く形成することが望ましい。
【００２４】
また、前記第１の歯ブラシの毛及び第２の歯ブラシの毛の外周縁には、エンボスを形成することが望ましい。
【００２５】
また、前記奥歯歯ブラシの毛の外周縁には、エンボスを形成することが望ましい。
【００２６】
また、前記奥歯歯ブラシの毛の各単位歯ブラシの毛は、その上端が平端部を有することが望ましい。
【００２７】
また、前記第１及び第２の歯ブラシの毛の一対からなる前記歯ブラシの毛の束と前記奥歯歯ブラシの毛の束を前記ヘッドの一面の中央部に長さ方向に２列のみで形成することが望ましい。
【発明の効果】
【００２８】
上述したように本発明に係る歯ブラシによると、微細端部を有する第１の歯ブラシの毛と平端部を有する第２の歯ブラシの毛とからなる歯ブラシの毛一対を束で形成して歯の間のみでなく、歯の表面についた食べかすをより効率的に除去することができる効果がある。
【００２９】
また、ヘッドの上面に直角になるように植毛されて分離形成された外部歯ブラシの毛と内部歯ブラシの毛の端部が「Ｖ」字状の断面で配列されて歯列矯正装置と歯との間を細かく磨くことができるため、エナメル質の摩耗と歯茎の傷や脱毛などの欠点を最小化することができるという利点もある。
【００３０】
また、歯ブラシのヘッドの一面のコーナー部に複数の歯ブラシの毛の端部が内側下方に傾斜した形の別の奥歯歯ブラシの毛を形成することにより、奥歯間に挟まった食べかすを確実に除去することができるという利点もある。
【００３１】
また、複数の歯ブラシの毛にエンボスを形成して歯の表面についた食べかすをさらに除去しやすくするとともに、弾性による復元力を提供することができ、エンボス間の空間によって歯磨き粉の使用時に泡の発生量を増加させて爽快感を持続させることができる効果もある。
【００３２】
また、歯ブラシの毛の束をヘッドの一面の中央部に長さ方向に２列のみで形成してインプラント施術者のための歯ブラシとして有用に活用できるという利点もある。
【図面の簡単な説明】
【００３３】
【図１】本発明の一実施例による歯ブラシの平面図である。
【図２】本発明の一実施例による歯ブラシの底面図である。
【図３ａ】図１のＡ−Ａ線の断面図である。
【図３ｂ】図１の「Ｂ」部分を拡大した拡大図である。
【図３ｃ】本発明の一実施例による歯ブラシの使用状態を示す例示図である。
【図４ａ】本発明の他の一実施例による図１のＡ−Ａ線の断面図である。
【図４ｂ】本発明の他の一実施例による図１の「Ｂ」部分を拡大した拡大図である。
【図４ｃ】本発明の他の一実施例による歯ブラシの使用状態を示す例示図である。
【図５】本発明の又他の一実施例による歯ブラシの斜視図及び「Ｃ」部分の拡大図である。
【図６】本発明の又他の一実施例による歯ブラシの平面図である。
【発明を実施するための形態】
【００３４】
本発明は、その技術的思想や主要な特徴から逸脱することなく、他の様々な形態に実施することができる。したがって、本発明の実施例は、単なる例示に過ぎず、限定的に解釈してはならない。
【００３５】
第１、第２などの用語は、様々な構成要素を説明するために使用することができるが、前記構成要素は、前記用語によって限定されない。
【００３６】
前記用語は、１つの構成要素を他の構成要素から区別するためにのみ使用される。例えば、本発明の権利範囲を逸脱せず、第１の構成要素は、第２の構成要素と命名することができ、同様に第２の構成要素も第１構成要素と命名することができる。
【００３７】
ある構成要素が他の構成要素に「連結されて」いる、「接続されて」いるなどと言及されたときには、その他の構成要素に直接連結されているか、または接続されている場合もあるが、その間に他の構成要素が存在する可能性もあると理解しなければならない。
【００３８】
一方、ある構成要素が他の構成要素に「直接連結されて」いる、「直接接続されて」いるなどと言及されたときには、その間に他の構成要素が存在しないと理解しなければならない。
【００３９】
本出願で使用した用語は、単に特定の実施例を説明するために使用されたものであり、本発明を限定するものではない。単数の表現は、文脈上明らかに違った意味合いでない限り、複数の表現を含む。
【００４０】
本出願で、「含む」、「備える」、「有する」などの用語は、明細書上に記載されている特徴、数字、段階、動作、構成要素、部品またはこれらを組み合わせたものが存在することを指定しようとするためのものであり、１つまたはそれ以上の他の特徴、数字、段階、動作、構成要素、部品またはこれらを組み合わせたものの存在または付加の可能性を予め排除しないものと理解されなければならない。
【００４１】
他の方法で定義しない限り、技術的または科学的な用語を含めて、ここで使用されるすべての用語は、本発明が属する技術分野において通常の知識を有する者によって一般的に理解されるものと同じ意味を有している。
【００４２】
一般的に使用される辞典に定義されているような用語は、関連技術の文脈上有する意味と一致する意味を有するものと解釈されるべきであり、本出願で明白に定義しない限り、理想的または過度に形式的な意味に解釈されない。
【００４３】
以下、本発明が属する技術分野において通常の知識を有する者が本発明を容易に実施できる程度に詳細に説明するために、本発明の最も望ましい実施例を添付の図面を参照して詳細に説明する。
【００４４】
図１は、本発明の一実施例による歯ブラシの平面図であり、図２は、本発明の一実施例による歯ブラシの底面図であり、図３ａは、図１のＡ−Ａ線の断面図であり、図３ｂは、図１の「Ｂ」部分を拡大した拡大図であり、図３ｃは、本発明の一実施例による歯ブラシの使用状態を示す例示図である。
【００４５】
図示したように、本発明による他の歯列矯正装置用歯ブラシは、ヘッド１０、ヘッド１０の一側に連結されるハンドル２０、歯磨きの時に歯の間に対応する微細端部１１１を有する第１の歯ブラシの毛１１０、及び前記第１の歯ブラシの毛１１０の内側に歯の表面に対応する平端部１２１を有する第２の歯ブラシの毛１２０の束からなり、前記ヘッド１０の一面に複数列植毛されて配列される歯ブラシの毛１００を含む。
【００４６】
前記ヘッド１０（ｈｅａｄ）とハンドル２０（ｈａｎｄｌｅ）は、適切な強度と硬度を有する単一の合成樹脂により一体に成形することが望ましく、ヘッド１０とハンドル２０との間には厚さが薄いネック３０が形成される。
【００４７】
ヘッド１０は、複数列で配列される歯ブラシの毛１００が植毛される構成であり、図１及び図３ａに示すように，ほぼ平たい板状に形成されて上面１１に歯ブラシの毛１００が植毛され、その先端及び後端の角は丸く形成して口の中に容易に出し入れできるようになる。
【００４８】
図２を参照すると、ヘッド１０の底面１２には、舌苔除去部材４０が形成され、このような舌苔除去部材４０は、ヘッド１０の底面にインサートされるベース４１と、このベース４１の表面に単一体で形成される舌苔除去突起４２とを含む。前記舌苔除去突起４２は、ヘッド１０の左右幅方向に沿って長く形成されてヘッド１０の長さ方向に沿って所定の間隔で複数個が形成される。
【００４９】
これにより、舌苔除去部材４０は、舌の表面にできる白色や灰色または黄褐色の物質を掻き取って除去することができる。舌苔除去部材４０は、所定の弾性及び摩擦係数を有し、ヘッド１０と異なる合成樹脂材質でなり、ヘッド１０の底面にインサート射出で成形することができる。
【００５０】
前記ハンドル２０は、手で握って歯磨きをするための構成であり、図１及び図２に示すように、上面と底面にはノンスリップ部材２１が形成されて把持する手の滑りを防止することができる。ノンスリップ部材２１は、図１に示すように、ハンドル２０の表面から突出する複数の突起で形成することができる。ノンスリップ部材２１は、図２に示すように、ハンドル２０の表面に長方形に突出して形成することができる。
【００５１】
前記歯ブラシの毛１００は、微細端部１１１を有する第１の歯ブラシの毛１１０と、平端部１２１を有する第２の歯ブラシの毛１２０とからなる一対を束ねた束からなり、図１及び図３ｂに示すように、ヘッド１０の上面全体に歯ブラシ胴体の長さ方向に沿って複数列植毛される。
【００５２】
図３ａを参照すると、第１の歯ブラシの毛１１０は、長さ方向の端部に行くほど細く形成して外側端部に鋭い微細端部１１１を有し、前記微細端部１１１は、歯１と歯１との間に挟まった食べかすを除去することができる。
【００５３】
第１の歯ブラシの毛１１０の外周縁には、第１のエンボス１１２（ｅｍｂｏｓｓｉｎｇ）が環状に形成され、このような第１のエンボス１１２は、第１の歯ブラシの毛１１０の長さ方向に沿って所定の間隔になるように複数で形成され、複数の第１のエンボス１１２は、第１の歯ブラシの毛１１０の外面のようにテーパー状になるように変化する外径で形成したり、同一の外径で形成することができる。
【００５４】
このように形成された複数の第１のエンボス１１２は、歯１と歯１との間に挿入されて微細端部１１１によって除去されない食べかすを掻いて除去したり、歯１の表面についた食べかすを掻いて除去することができる。第１の歯ブラシの毛１１０は、第１のエンボス１１２によって弾性力を持ち、歯磨きした後は元の形状に復元される機能が加わる。
【００５５】
図３ａを参照すると、第２の歯ブラシの毛１２０は、第１の歯ブラシの毛１１０の根側の外径と同一ないし類似する外径を有する円筒状に形成されて外側端部に平らな平端部１２１を有し、前記平端部１２１は、歯１の表面についた食べかすを掻いて除去し、平端部１２１を含む第２の歯ブラシの毛１２０の長さは、第１の歯ブラシの毛１１０の長さよりも短く形成する。
【００５６】
また、第２の歯ブラシの毛１２０の外周縁には、第２のエンボス１２２が環状に形成され、このような第２のエンボス１２２は、第２の歯ブラシの毛１２０の長さ方向に沿って所定の間隔になるように複数で形成され、複数の第２のエンボス１２２は、同一の外径で形成されることが望ましい。第２の歯ブラシの毛１２０は、第２のエンボス１２２によって弾性力を持ち、歯磨きした後は元の形状に復元される機能が加わる。
【００５７】
ここで、前記第１の歯ブラシの毛１１０及び第２の歯ブラシの毛１２０は、歯茎を傷つけないようにするために、普通毛よりは微細毛を使用することがより望ましい。
【００５８】
このように構成された本発明に係る歯ブラシの作用を、図３ａ〜図３ｃを参照して次の通り詳細に説明する。
【００５９】
図３ｂ参照すると、第１の歯ブラシの毛１００は、ヘッド１０の外部に該当するところに複数列植毛され、図３ｃのような状態でユーザーがハンドルを握って歯１の前後または左右方向に滑らせて磨けば、第１の歯ブラシの毛１１０の微細端部１１１は、歯１と歯１との間に挿入されて挟まった食べかすを押し出したり、または掻いて除去し、複数の第１のエンボス１１２は、微細端部１１１によって除去されない食べかすを軸方向に掻いて除去したり、歯１の表面についた食べかすを掻いて除去することができる。
【００６０】
これと共に、第２の歯ブラシの毛１２０の平端部１２１は、歯１の表面についた食べかすを軸の直交方向に掻いて除去し、第２のエンボス１２２は、歯１の表面についた食べかすを軸方向に掻いて除去することができる。
【００６１】
そして、本発明の歯ブラシは、エンボスによって歯１の表面についた食べかすをより効率的に除去するとともに、弾性を持ち復元力に優れているのみでなく、エンボス間の空間によって歯磨き粉の使用時に泡の発生量が増加して爽快感をより持続させることができる。
【００６２】
図４ａは、本発明の他の一実施例による、図１のＡ−Ａ線の断面図であり、図４ｂは、本発明の他の一実施例による図１の「Ｂ」部分を拡大した拡大図であり、図４ｃは、本発明の他の一実施例による歯ブラシの使用状態を示す例示図であり、歯ブラシの毛がヘッド１０の一面の外部に植毛される外部歯ブラシの毛２００と、前記外部歯ブラシの毛２００の内部に配列されるようにヘッド１００に植毛される内部歯ブラシの毛３００とに分離されて構成され、前記外部歯ブラシの毛２００と内部歯ブラシの毛３００は、「Ｖ」字状の断面で配列されるように、互いに異なる長さで形成される点で図３ａ〜図３ｃの歯ブラシの毛の構成と相違し、その相違点を中心に説明する。
【００６３】
前記外部歯ブラシの毛２００は、上述した最初の実施例による歯ブラシの毛１００と実質的に同一の構造であって、微細端部２１１を有する第１の歯ブラシの毛２１０と平端部２２１を有する第２の歯ブラシの毛２２０とからなる一対を束ねた束からなり、図４ｂに示すように、ヘッド１０の上面の外部に該当する左右両側の端部（図４ｂの左右点線の長方形）に沿って一列または複数列植毛される。
【００６４】
さらに、図４ａに示すように、前記外部歯ブラシの毛２００の第１の歯ブラシの毛２１０及び第２の歯ブラシの毛２２０は、上述したように、その外周縁に第１のエンボス２１２及び第２のエンボス２２２がそれぞれ形成され、複数の第１のエンボス２１２は、テーパー（ｔａｐｅｒ）状になるように変化する外径で形成され、複数の第２のエンボス２２２は、同一の外径で形成されることが望ましい。
【００６５】
前記内部歯ブラシの毛３００は、前記外部歯ブラシの毛２００と実質的に同一の構造であり、微細端部３１１を有する第１の歯ブラシの毛３１０と平端部３２１を有する第２の歯ブラシの毛３２０とからなる一対を束ねた束からなり、図４ｂに示すように、ヘッド１０の上面の内部に該当する中心の長さ方向（図４ｂの中央の一点鎖線の長方形）に沿って一列または複数列植毛される。そして、内部歯ブラシの毛３００は、外部歯ブラシの毛２００に比べて短く、図４ａに示すように、ヘッド１０の上面に植毛された外部歯ブラシの毛２００と内部歯ブラシの毛３００は、ほぼ「Ｖ」字状の断面で配列された構造で形成される。
【００６６】
さらに、図４ａに示すように、前記内部歯ブラシの毛３００の第１の歯ブラシの毛３１０及び第２の歯ブラシの毛３２０も上述したように、その外周縁に第１のエンボス３１２及び第２のエンボス３２２がそれぞれ形成され、複数の第１のエンボス３１２は、テーパー（ｔａｐｅｒ）状になるように変化する外径で形成され、複数の第２のエンボス３２２は、同一の外径で形成されることが望ましい。
【００６７】
このように構成された本発明の他の一実施例に係る歯ブラシの作用を、図４ａ〜図４ｃを参照して次の通り詳細に説明する。
【００６８】
図４ｂを参照すると、外部歯ブラシの毛２００は、ヘッド１０の外部に該当するところに一列または複数列植毛され、内部歯ブラシの毛３００は、ヘッド１０の内部に該当するところに一列または複数列植毛される。
【００６９】
図４ｃは、本発明の歯ブラシが、歯列矯正装置３が装着された歯１の一面を磨くために近接した状態を例示的に示した図であり、図４ｃに示すように、外部歯ブラシの毛２００は、歯１の一面を磨くように位置し、内部歯ブラシの毛３００は、歯列矯正装置３を磨くように位置する。
【００７０】
図４ｃのような状態でユーザーがハンドルを握って歯１の前後または左右方向に滑らせながら磨くと、前記外部歯ブラシの毛２００の第１の歯ブラシの毛２１０の微細端部２１１は、歯１と歯１との間に挿入されて挟まった食べかすを押し出したり、または掻いて除去し、第１のエンボス２１２は、微細端部２１１によって除去されない食べかすを軸方向に掻いて除去したり、歯１の表面についた食べかすを掻いて除去することができる。
【００７１】
これと共に、前記外部歯ブラシの毛２００の第２の歯ブラシの毛２２０の平端部２２１は、歯１の表面についた食べかすを軸の直交方向に掻いて除去し、第２のエンボス２２２は、歯１の表面についた食べかすを軸方向に掻いて除去することができる。
【００７２】
一方、前記内部歯ブラシの毛３００の第１の歯ブラシの毛３１０の微細端部３１１は、歯列矯正装置３の外面と歯１との間に挟まった食べかすを押し出したり、または掻いて除去し、第１のエンボス３１２は、微細端部３１１によって除去されない食べかすを軸方向に掻いて除去したり、歯列矯正装置３の表面についた食べかすを軸方向に掻いて除去することができる。
【００７３】
同時に、前記内部歯ブラシの毛３００の第２の歯ブラシの毛３２０の平端部３２１は、歯列矯正装置３の表面についた食べかすを軸の直交方向に掻いて除去し、第２のエンボス３２２は、歯列矯正装置３の表面についた食べかすを軸方向に掻いて除去することができる。
【００７４】
上述したように、本発明の歯ブラシは、ヘッド１０の上面に直角になるように植毛された外部歯ブラシの毛と内部歯ブラシの毛の端部が「Ｖ」字状に形成されてエナメル質の摩耗と歯茎の傷や脱毛などの欠点を最小化することができる。
【００７５】
そして、本発明の歯ブラシは、エンボスによって歯１及び歯列矯正装置３の表面についた食べかすをより効率的に除去するとともに、弾性を持ち復元力に優れているのみでなく、第１のエンボス２１２、３１２及び第２のエンボス２２２、３２２間の空間によって歯磨き粉の使用時に泡の発生量が増加して爽快感をより持続させることができる。
【００７６】
図５は、本発明の又他の一実施例による歯ブラシの斜視図及び「Ｃ」部分の拡大図である。
【００７７】
図５に示すように、本発明の他の一実施例による歯ブラシは、複数の単位歯ブラシの毛４１０の端部が内側に下方に傾斜した形からなり、前記ヘッド１０の一面の外部に植毛される奥歯歯ブラシの毛４００をさらに含んでなる。
【００７８】
ここで、前記奥歯歯ブラシの毛４００は、ヘッド１０の一面のコーナー部に複数列で束からなることが奥歯の歯磨きのためにより望ましい。
【００７９】
また、１つの奥歯歯ブラシの毛４００の単位歯ブラシの毛４１０は、その端部が内側に行くほど徐々に低くなる下方に傾斜した形になり、また複数列で離隔形成された各奥歯歯ブラシの毛４００も、その端部が内側（歯ブラシの毛１００側）に行くほど下方に傾斜した形になることにより、奥歯磨きが容易になって奥歯の掃除にも有利になる。
【００８０】
前記奥歯歯ブラシの毛４００の各単位歯ブラシの毛４１０は、例えば、平端部４１１を有する普通毛や微細端部を有する微細毛である。
【００８１】
一方、前記束形態の各奥歯歯ブラシの毛４００の長さは、その一側に形成された第１の歯ブラシの毛１１０及び第２の歯ブラシの毛１２０の一対からなる歯ブラシの毛１００の長さよりも短く形成されることが奥歯磨きの面でより有利である。
【００８２】
もちろん、各単位歯ブラシの毛４１０は、外周縁に形成された第３のエンボス４１２によって弾性力を持ち、歯磨きした後、元の形状に復元される機能が加わり得る。
【００８３】
図６は、本発明の又他の一実施例による歯ブラシの平面図であり、インプラント施術者用としてのインプラント歯ブラシの毛５００を除いては、実質的に図５の例と同一である。
【００８４】
すなわち、図６に示すように、第１及び第２の歯ブラシの毛の一対からなるインプラント歯ブラシの毛５００の束をヘッド１０の一面の中央部に長さ方向に２列のみで形成して、インプラント施術者専用として使用するための歯ブラシで構成される。
【００８５】
もちろん、図５の例と同様に、奥歯歯ブラシの毛４００は、ヘッド１０の一面のコーナー部に複数列で束からなっている。
【００８６】
ここで、前記奥歯歯ブラシの毛４００の束も、前記ヘッド１０の中央部にインプラント歯ブラシの毛５００の束と並んで長さ方向に２列で形成することもできる。
以上で説明した本発明の一実施例は、例示的なものに過ぎず、本発明が属する技術分野の通常の知識を有する者であれば、ここから様々な変形及び均等な他の実施例が可能であることをよく知っているだろう。
【００８７】
したがって、本発明は、前記の詳細な説明に記載されている形態にのみ限定されるものではないことを理解できるだろう。
【００８８】
したがって、本発明の真の技術的保護範囲は、添付の特許請求の範囲の技術的思想により定められなければならない。また、本発明は、添付の特許請求の範囲によって定義される本発明の精神とその範囲内にあるすべての変形物と均等物、及び代替物を含むものと理解されるべきである。
【産業上の利用可能性】
【００８９】
本発明は、微細端部を有する第１の歯ブラシの毛と平端部を有する第２の歯ブラシの毛とからなる歯ブラシの毛の一対を束で形成した歯ブラシを提供して歯の間や歯の表面についた食べかすをより効率的に除去することができるだけでなく、歯列矯正装置をはめた歯の場合でも、歯と歯列矯正装置との間に挟まった食べかすを効率的に除去することができ、歯ブラシ分野において有用に活用することができる。
【図１】
2021512658.tif 000003
【図２】
2021512658.tif 000004
【図３ａ】
2021512658.tif 000005
【図３ｂ】
2021512658.tif 000006
【図３ｃ】
2021512658.tif 000007
【図４ａ】
2021512658.tif 000008
【図４ｂ】
2021512658.tif 000009
【図４ｃ】
2021512658.tif 000010
【図５】
2021512658.tif 000011
【図６】
2021512658.tif 000012
【国際調査報告】
2021512658.tif 000013
2021512658.tif 000014
2021512658.tif 000015
2021512658.tif 000016